(57)【要約】【課題】バリエーション豊かな発光演出を行い得る遊技機を提供する。【解決手段】第１始動入賞装置２６に、第１透明パネル５５および第２透明パネル６０が厚み方向に積層された状態で配設される。第１始動入賞装置２６に、第１透明パネル５５の外周端面に向けて光を照射する第３ＬＥＤ５４と、第２透明パネル６０の外周端面に向けて光を照射する第４ＬＥＤ５９とが配設される。第１透明パネル５５は、外周端面から照射された光によって面発光する。第２透明パネル６０は、外周端面から照射された光によって、第２透明パネル６０に形成した第２図柄Ｄ２が発光表示する。第１透明パネル５５と第２透明パネル６０との間に、透明パネル５５,６０の外周端面から照射された光が別の透明パネル５５,６０側に透過するのを防止すると共に、外周端面から照射された光によって発光する板面の光を透過させる第２積層体６１が配設される。【選択図】図３
2015029734.tif 000002
【特許請求の範囲】
【請求項１】
発光演出を行い得る発光演出装置を備えた遊技機において、
外周端面から照射された光により板面側が発光するよう形成され、厚み方向に積層された複数の透明パネルと、
前記各透明パネルの外周端面に対向するよう設けられ、対応する透明パネルの外周端面に向けて光を照射する複数の発光体と、
前記複数の透明パネルの間に設けられて積層する透明パネルの対向面を覆い、前記発光体により透明パネルの外周端面から照射された光が積層した別の透明パネル側に透過するのを防止すると共に、外周端面から照射された光によって発光する板面の光を透過させる積層体とを備えた
ことを特徴とする遊技機。
【請求項２】
前記複数の透明パネルの何れかには、外周端面から内部に導入された光が反射することで板面側から視認可能となる図柄が形成された請求項１記載の遊技機。
【請求項３】
外周端面から内部に導入された光が反射することで板面側から視認可能となる図柄が、積層された複数の透明パネルに形成されると共に、各透明パネルに形成された図柄の形成領域が積層方向で重なるよう構成された請求項２記載の遊技機。
【請求項４】
前記複数の透明パネルの積層方向に、意匠が表示された光透過部材が配設されると共に、当該光透過部材の後方に、前方へ向けて光を照射する別の発光体が配設され、当該別の発光体から照射された光により光透過部材に表示された意匠を板面側から視認可能に構成された請求項１〜３の何れか一項に記載の遊技機。
【請求項５】
前記光透過部材の後方に、該光透過部材の外周輪郭に沿って延在する前後に開口した筒状の遮光部材が配設されて、該遮光部材の内側が遮光壁により複数の照明室に区画されると共に、前記別の発光体が各照明室に収容配置され、
前記各照明室に収容配置された別の発光体毎に発光制御手段が個別に発光制御し得るよう構成された請求項４記載の遊技機。
【発明の詳細な説明】
【技術分野】
【０００１】
本発明は、発光演出装置により発光演出を行い得るよう構成された遊技機に関する。
【背景技術】
【０００２】
所定の遊技を行っている開始条件の成立を契機として当りを生起させるか否かを判定すると共に、演出表示部において図柄変動演出を表示し、図柄変動演出の結果として、当りを生起させるか否かの判定結果を演出表示部に表示させるよう構成された遊技機が広く知られている。例えば、このような遊技機の一種としてのパチンコ機は、遊技店の図示しない設置枠台に設置される固定枠としての外枠に、遊技盤や制御装置等の各種部材が設置される本体枠としての中枠を開閉可能に組み付けると共に、該遊技盤を透視保護するガラス板を備えた装飾枠としての前枠を中枠の前面側に開閉可能に組み付けて構成される。前記遊技盤には、パチンコ球(遊技球)が流下する遊技領域が画成されると共に、図柄を変動表示して図柄変動演出を行う液晶式やドラム式等の演出表示部としての図柄表示装置が備えられており、該遊技領域を流下するパチンコ球が遊技盤に配設された始動入賞装置の始動入賞口へ入賞することを遊技開始条件として、当り抽選が行われると共に図柄表示装置での図柄変動が開始するようになっている。このようなパチンコ機では、前記図柄表示装置に停止表示された図柄の有効組み合わせとなる有効ラインが１つまたは複数設定されており、当り抽選の結果に応じて有効ラインに当り表示となる特定の図柄組み合わせ(例えば同一図柄の三つ揃等)が停止表示されることで当り遊技が付与され、遊技者が多数の賞球を獲得する機会が与えられるようになっている(例えば特許文献１)。
【０００３】
このようなパチンコ機では、ＬＥＤ等の発光体を備えた発光演出装置が遊技盤の適宜位置に配設されて、前記図柄表示装置の図柄変動演出に合わせて発光体を点灯・点滅等することにより演出効果の向上を図ることが行われている。このような発光演出装置として、凹凸により模様が形成された乱反射領域を有する透明パネルを配設し、該透明パネルの周面から導入された光を乱反射領域で乱反射させることで透明パネルに形成した模様が光って見えるようになる発光演出装置が提案されている(特許文献１参照)。
【先行技術文献】
【特許文献】
【０００４】
【特許文献１】特開２０１０−１１９６６４号公報
【発明の概要】
【発明が解決しようとする課題】
【０００５】
ここで、特許文献１に開示の発光演出装置では、発光体の点灯および消灯を切り替えることで、透明パネルに形成された模様が発光表示された状態と非表示の状態とに変化させることにより、意外性のある発光演出を可能としている。しかしながら、発光演出装置において実行可能な発光演出の演出態様が限られることから、演出が単調になりかねず、更なる演出効果の向上が可能な発光演出装置が期待されている。
【０００６】
そこで、本発明は、バリエーション豊かな発光演出を行い得る遊技機を提供することを目的とする。
【課題を解決するための手段】
【０００７】
前記課題を克服し、所期の目的を達成するため、本願の請求項１に係る遊技機は、
発光演出を行い得る発光演出装置(26)を備えた遊技機において、
外周端面から照射された光により板面側が発光するよう形成され、厚み方向に積層された複数の透明パネル(55,60,64,65)と、
前記各透明パネル(55,60,64,65)の外周端面に対向するよう設けられ、対応する透明パネル(55,60,64,65)の外周端面に向けて光を照射する複数の発光体(54,59)と、
前記複数の透明パネル(55,60,64,65)の間に設けられて積層する透明パネル(55,60,64,65)の対向面を覆い、前記発光体(54,59)により透明パネル(55,60,64,65)の外周端面から照射された光が積層した別の透明パネル(55,60,64,65)側に透過するのを防止すると共に、外周端面から照射された光によって発光する板面の光を透過させる積層体(61)とを備えたことを要旨とする。
【０００８】
このように、複数の透明パネルを厚み方向に積層して、各透明パネルの外周端面に対向するよう配置した発光体を発光させることで、透明パネル毎に板面側を発光させ得る。すなわち、発光させる透明パネルを変更することで発光演出の演出態様を変化させることができ、多彩な発光演出を行うことができる。また、積層した透明パネルの間に積層体を設けて、透明パネルの外周端面から照射された光が積層した別の透明パネル側に透過するのを防止するようにしたことで、意図しない透明パネルが発光するのを防ぐことができる。これにより、発光演出の演出態様が変化することへの意外感を高め、遊技の興趣を向上することが可能となる。
【０００９】
請求項２に係る遊技機は、前記複数の透明パネル(55,60,64,65)の何れかには、外周端面から内部に導入された光が反射することで板面側から視認可能となる図柄(D2)が形成されたことを要旨とする。
この構成では、透明パネルに形成した図柄を必要に応じて表示することができ、バリエーションのある発光演出が可能となる。また透明パネルの図柄は、外周端面から光が導入されることで前側から視認可能となるので、当該透明パネルに形成した図柄が、外周端面から光が導入されていない状態において他の透明パネルによる発光演出を阻害することはない。しかも、積層体により各透明パネルを仕切って、外周端面から照射された光が積層した別の透明パネル側に透過するのを防止しているから、透明パネルの図柄が発光表示された際の意外性を高めることができる。
【００１０】
請求項３に係る遊技機は、外周端面から内部に導入された光が反射することで板面側から視認可能となる図柄(D2,D3)が、積層された複数の透明パネル(64,65)に形成されると共に、各透明パネル(64,65)に形成された図柄(D2,D3)の形成領域が積層方向で重なるよう構成されたことを要旨とする。
この構成では、各透明パネルに形成された図柄の形成領域を積層方向で重なるよう構成したことで、各透明パネルに形成された図柄を同じ場所で発光表示することができる。すなわち、同じ場所で異なる発光演出が可能となるから、発光演出の演出態様を多彩にし得ると共に、発光演出の演出内容に対する関心を高めることができる。
【００１１】
請求項４に係る遊技機は、前記複数の透明パネル(55,60,64,65)の積層方向に、意匠(57a)が表示された光透過部材(57)が配設されると共に、当該光透過部材(57)の後方に、前方へ向けて光を照射する別の発光体(48a)が配設され、当該別の発光体(48a)から照射された光により光透過部材(57)に表示された意匠(57a)を板面側から視認可能に構成されたことを要旨とする。
この構成では、各透明パネルの外周端面に対向するよう配置した発光体を発光させて透明パネルの板面側を発光させる発光演出態様と、別の発光体から照射された光により光透過部材に表示された意匠を板面側から視認可能とする発光演出態様とを切り替えることができ、発光演出の多様化を図り得る。また、透明パネルの板面側を発光させる発光演出を、別の発光体から照射された光により表示された意匠を視認可能とする発光演出に重ねて行うことができ、バリエーション豊かな演出が可能となる。また透明パネルの図柄は、外周端面から光が導入されることで前側から視認可能となるので、外周端面から光を導入していない状態では、別の発光体から照射された光により表示された意匠を表示する発光演出を単独で行う場合に、この発光演出が透明パネルにより阻害されることはない。
【００１２】
請求項５に係る遊技機は、前記光透過部材(57)の後方に、該光透過部材(57)の外周輪郭に沿って延在する前後に開口した筒状の遮光部材(45)が配設されて、該遮光部材(45)の内側が遮光壁(46)により複数の照明室(47)に区画されると共に、前記別の発光体(48a)が各照明室(47)に収容配置され、
前記各照明室(47)に収容配置された別の発光体(48a)毎に発光制御手段(20)が個別に発光制御し得るよう構成されたことを要旨とする。
この構成では、照明室に収容配置された別の発光体毎に個別に発光制御することで、意匠が表示された光透過部材の発光領域を変化させることができ、発光演出の多様化を図り得る。
【発明の効果】
【００１３】
本発明に係る遊技機によれば、発光演出の演出態様の多様化を図り、遊技の興趣を向上することが可能となる
【図面の簡単な説明】
【００１４】
【図１】本発明の実施例に係るパチンコ機を示す正面図である。
【図２】実施例に係る遊技盤を示す概略正面図である。
【図３】実施例に係る第１始動入賞装置を分解して前側から視た概略斜視図である。
【図４】実施例に係る第１始動入賞装置の縦断側面図である。
【図５】実施例に係る第１始動入賞装置の縦断正面図である。
【図６】実施例に係る第１始動入賞装置の要部縦断側面図である。
【図７】実施例に係る第１発光基板に実装された第１ＬＥＤと遮光部材の照明室との関係を示す説明図である。
【図８】実施例に係るパチンコ機の制御構成を示すブロック図である。
【図９】別実施例に係る第１透明パネルおよび第２透明パネルを示す概略斜視図である。
【発明を実施するための形態】
【００１５】
次に、本発明に係る遊技機につき、好適な実施例を挙げて、添付図面を参照しながら以下詳細に説明する。なお、実施例では、遊技球としてパチンコ球を用いて遊技を行うパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１６】
(パチンコ機１０について)
実施例に係るパチンコ機１０は、図１に示すように、前後に開口する矩形枠状に形成されて遊技店の図示しない設置枠台に縦置き姿勢で設置される固定枠としての外枠１１の開口前面側に、遊技盤１２を着脱可能に保持する本体枠としての中枠(図示せず)が開閉および着脱可能に組み付けられて、該遊技盤１２の裏側に、複数種類の図柄を変動表示可能な図柄表示装置(表示手段)１８が着脱可能に配設されている。また、前記中枠の前面側には、前記遊技盤１２を透視保護するガラス板や透明な合成樹脂材により形成された透視保護板１３ｂで前後に開口する窓部１３ａを覆うよう構成された前枠１３が開閉可能に組み付けられると共に、該前枠１３の下方にパチンコ球を貯留する下球受け皿１５が開閉可能に組み付けられる。なお、実施例では、前記前枠１３の下部位置に、パチンコ球を貯留する上球受け皿１４が一体的に組み付けられており、前枠１３の開閉に合わせて上球受け皿１４も一体的に開閉するよう構成される。なお、実施例では、前記図柄表示装置１８としては、各種図柄を表示可能な液晶パネルを収容ケースに収容した液晶表示装置が採用されるが、これに限られるものではなく、ドラム式の図柄表示装置やドットマトリックス式の図柄表示装置等の各種図柄を停止および変動表示可能な従来公知の各種の図柄表示装置を採用し得る。また、前記上球受け皿１４は、前記前枠１３と別体に形成してもよい。なお、球受け皿については、上下２枚の球受け皿１４,１５を備えるものに限らず、１枚の球受け皿のみを設ける構成であってもよい。
【００１７】
前記前枠１３の右下方位置には、前記中枠に配設された打球発射装置(図示せず)を作動する操作ハンドル１７が設けられている。前記操作ハンドル１７は、左回転方向に付勢された操作レバー１７ａを備えており、該操作レバー１７ａを右回転するよう遊技者が回動操作することで打球発射装置が作動されて、前記上球受け皿１４に貯留されたパチンコ球が前記遊技盤１２に向けて発射されるようになっている。
【００１８】
(操作ボタン１９について)
図１に示す如く、前記上球受け皿１４の上面には、遊技者が操作可能な操作手段としての操作ボタン１９が設けられている。実施例では、操作ボタン１９として押しボタン式が用いられており、該操作ボタン１９を押下したときに操作信号を制御装置２０(図８参照)に出力するよう構成されており、該制御装置２０は、後述する操作有効期間において操作信号を受け付け得るよう構成されている。また、操作ボタン１９の内部には、図示しないがＬＥＤ等の発光体を配設したランプ装置が配設され、該ランプ装置を発光することで、操作ボタン１９の操作時期等を知らせ得るよう構成されている。具体的には、操作が有効である場合には、ランプ装置が点灯し、操作が無効である場合にはランプ装置が消灯するようになっている。
【００１９】
前記パチンコ機１０の裏側には、図示しないが、球払出装置を駆動制御する払出制御基板(払出制御手段)、前記打球発射装置を駆動制御する発射制御基板等が配設されている。前記払出制御基板は、パチンコ機１０の後側に配設される前記制御装置２０に配線接続されており、該制御装置２０から出力された制御信号が払出制御基板に入力され、該制御信号に基づいて払出制御基板が球払出装置を制御することで、所要数のパチンコ球を賞球として払い出すよう構成される。
【００２０】
(遊技盤１２について)
前記中枠に配設される前記遊技盤１２は、図２に示すように、前面(盤面)にパチンコ球が流下可能な遊技領域１２ａが画成され、合板等の木製からなる平板状の板部材で構成される。遊技盤１２の前面には、該遊技盤１２に配設した案内レール２１によって略円形状の遊技領域１２ａが画成され、前記打球発射装置から発射されたパチンコ球が遊技領域１２ａ内に打ち出され、該遊技領域１２ａ内をパチンコ球が流下して遊技が行なわれる。また、遊技盤１２の遊技領域１２ａ内には、多数の遊技釘が植設されており、該遊技釘との接触により遊技領域１２ａを流下するパチンコ球の流下方向が不規則に変化するよう構成してある。なお、遊技盤１２には、遊技領域１２ａの最下部位置に、該遊技領域１２ａに開口するアウト口２２が開設されており、遊技領域１２ａに打ち出されてアウト口２２に入球したパチンコ球が機外に排出されるよう構成される。
【００２１】
(枠状装飾部材２３について)
前記遊技盤１２の中央には、前後に貫通するよう形成された大型の貫通孔(図示せず)に、前後に開口する枠状の枠状装飾部材(所謂センター役物)２３が嵌め込まれるように着脱可能に配設される(図２参照)。そして、遊技盤１２の裏側に配設された設置部材(図示せず)の開口部から臨む前記図柄表示装置１８の表示部は、枠状装飾部材２３における前後に開口する開口部２３ａを介して遊技盤１２の前側に臨んで、該図柄表示装置１８の表示部で展開される複数種類の図柄を変動させて行う図柄変動演出を前側から視認し得るよう構成される。
【００２２】
前記枠状装飾部材２３には、上縁部から左右両縁部に亘り、遊技盤１２の前面より前方に突出する円弧状の庇状部２３ｂが設けられており、前記遊技領域１２ａに打ち出されたパチンコ球を外周部の庇状部２３ｂで案内し得ると共に、該パチンコ球が枠状装飾部材２３の開口部２３ａを横切って流下するのを該庇状部２３ｂで規制している。また枠状装飾部材２３には、図２に示す如く、開口部２３ａの下側に、ステージ２４が配設されると共に、開口部２３ａの左側に、遊技領域１２ａに開口して該遊技領域１２ａを流下するパチンコ球を取り込んでステージ２４に案内する球導入部２５が設けられる。そして、球導入部２５からステージ２４に通出されたパチンコ球は、ステージ２４上を左右に転動した後に、後述する第１始動入賞装置２６が配設されている遊技領域１２ａに排出される。
【００２３】
(始動入賞装置２６,２９について)
前記遊技盤１２には、図２に示す如く、前記枠状装飾部材２３の下方位置に、遊技領域１２ａに臨んで該遊技領域１２ａを流下するパチンコ球が入賞可能な第１始動入賞装置２６が配設されると共に、該第１始動入賞装置２６の右側方に特別入賞装置２７が配設されている。また、枠状装飾部材２３の右側方に、遊技領域１２ａに臨んで該遊技領域１２ａを流下するパチンコ球が通過可能な球通過ゲート２８が配設されている。更に、実施例のパチンコ機１０では、枠状装飾部材２３に第２始動入賞装置２９が配設されている。第１および第２始動入賞装置２６,２９は、遊技領域１２ａを流下するパチンコ球が入賞可能な始動入賞口２６ａ,２９ａが設けられる。ここで、第１始動入賞装置２６は、第１始動入賞口２６ａが遊技領域１２ａに常時開放する常時開放型の入賞装置とされ、第２始動入賞装置２９は、所定の開放条件および閉鎖条件に従って第２始動入賞口２９ａが開閉部材２９ｂにより開閉される開閉型の入賞装置とされている。なお、第２始動入賞装置２９は、開閉部材２９ｂを開閉作動する始動入賞ソレノイド３０(図８参照)を備え、該始動入賞ソレノイド３０が前記制御装置２０によって駆動制御されるよう構成される。
【００２４】
前記第１および第２始動入賞口２６ａ,２９ａは、該第１および第２始動入賞口２６ａ,２９ａに入賞したパチンコ球を検出する入賞検出手段としての始動入賞検出センサ３１,３２(図８参照)が設けられている。前記始動入賞検出センサ３１,３２は、前記制御装置２０に配線接続されている。そして、始動入賞検出センサ３１,３２からの検出信号が制御装置２０に入力されることを賞球の払出条件として、該制御装置２０が賞球の払い出しを決定するようになっている。すなわち、制御装置２０は、所定の払出条件の成立に伴い、払い出し賞球数を決定する賞球数決定手段としての機能を有している。具体的に、第１および第２始動入賞口２６ａ,２９ａに対応した第１および第２始動入賞検出センサ３１,３２によるパチンコ球の検出(すなわち始動入賞口２６ａ,２９ａへのパチンコ球の入賞)を契機として賞球の払出条件が成立した場合には、制御装置２０が所定数の賞球の払い出しを決定するよう設定されている。
【００２５】
また、第１および第２始動入賞検出センサ３１,３２によるパチンコ球の検出(すなわち第１および第２始動入賞口２６ａ,２９ａへのパチンコ球の入賞)を遊技の開始条件(遊技開始条件)として、前記制御装置２０が各種入賞情報(大当り判定用乱数等の遊技情報)を取得して、この取得した入賞情報に基づいて特図当り抽選(当り判定)が行われるよう構成されている。そして、特図当り抽選の結果に基づいて前記図柄表示装置１８において図柄変動演出を実行するように、該図柄表示装置１８を制御装置２０が制御するよう構成される。また、前記図柄表示装置１８での図柄変動演出の結果、該図柄表示装置１８に所定の当り表示(予め定められた特定表示)となる組み合わせ(例えば同一飾図の３つ揃い等)で図柄(飾図)が確定停止表示されることで、遊技者に有利な当り遊技(以後、大当り遊技という)が付与され、大当り遊技の発生に伴って後述する特別入賞口２７ａを所定の開放条件で開放する大当り遊技が行われて、遊技者が賞球を獲得し得る機会が与えられるよう構成されている。すなわち、実施例では、遊技者が賞球を獲得し得る機会が与えられる大当り遊技が、遊技者に有利な有利状態となっている。
【００２６】
(特別入賞装置２７について)
前記特別入賞装置２７は、遊技領域１２ａに開口する特別入賞手段としての特別入賞口２７ａを開閉自在に閉成する開閉体(開閉部材)２７ｂを備えており、駆動手段としての特別入賞ソレノイド３３(図８参照)の駆動に伴って開閉体２７ｂが閉鎖する閉鎖位置と開放する開放位置に変位するよう構成されている。また、前記特別入賞装置２７には、前記特別入賞口２７ａに入賞したパチンコ球を検出する特別入賞検出手段としての特別入賞検出センサ３４(図８参照)が設けられている。特別入賞検出センサ３４は、前記制御装置２０に配線接続されており、特別入賞検出センサ３４がパチンコ球を検出すると、検出信号を制御装置２０に出力し、該制御装置２０は、特別入賞検出センサ３４からの検出信号の入力を賞球の払出条件として前記払出制御基板に制御信号を出力して前記球払出装置に予め設定された数の賞球を払い出させるようになっている。ここで、前記特別入賞ソレノイド３３は、前記第１および第２始動入賞口２６ａ,２９ａへのパチンコ球の入賞を契機として特別入賞口２７ａを開放する大当り遊技が付与される場合に制御装置２０によって駆動制御される。実施例のパチンコ機１０では、開閉体２７ｂの開閉態様が異なる複数種類の大当り遊技が設定されており、制御装置２０は、大当り遊技の種類に応じた開閉条件に従って特別入賞ソレノイド３３を駆動制御するよう構成される。
【００２７】
(球通過ゲート２８について)
前記球通過ゲート２８には、該ゲート２８をパチンコ球が通過したことを検出するゲートセンサ３５(図８参照)が配設される。ゲートセンサ３５は、前記制御装置２０に配線接続されており、該ゲートセンサ３５から制御装置２０への球検出信号の入力、すなわちゲートセンサ３５のパチンコ球の検出(球通過ゲート２８のパチンコ球の通過)に伴って各種通過検出情報(乱数等の遊技情報)が取得され、この取得した遊技情報に基づいて普図当り判定(普図当り抽選)が行われるよう構成されている。そして、この普図当り抽選の結果に応じて前記始動入賞ソレノイド３０が駆動制御されて開閉部材２９ｂが開閉動作するようになっている。
【００２８】
(第１始動入賞装置２６について)
前記第１始動入賞装置２６について、具体的な構成について説明する。本実施例では、前記第１始動入賞口２６ａが設けられた第１始動入賞装置２６が、発光演出を行い得る発光演出装置としても機能するよう構成されている。第１始動入賞装置２６は、第１始動入賞口２６ａが形成される装置本体３６が、前記遊技盤１２に対する取付部として機能する取付部材３７と、該取付部材３７の前側に着脱自在に配設される収容部材３８とを備えている。
【００２９】
(取付部材３７について)
前記取付部材３７は、図３,図４に示すように、前記収容部材３８の外郭形状に略一致する形状に形成された第１背面壁３９と、該第１背面壁３９の外周縁から前側に突出するように形成された第１周壁４０と、該第１周壁４０における下端縁の左右方向の略全長に亘って外方に延出するように形成された装飾フランジ４１とを備え、当該取付部材３７は全体が光透過性に構成されている。また、取付部材３７の左右両側の複数箇所に取着部３７ａが設けられ、該取着部３７ａを介して一対の第１装飾体４２,４２が取付部材３７の左右両側を縁取るように該取付部材３７に位置決め固定されている(図５参照)。前記装飾フランジ４１および各第１装飾体４２の裏面に、遊技盤１２に形成されて前後方向に貫通する装着口１２ｂ(図４参照)の内周縁に沿うように後方に向けて延出する位置決め延出部４１ａ,４２ａが形成されている。そして、前記位置決め延出部４１ａ,４２ａを装着口１２ｂに挿入すると共に装飾フランジ４１および第１装飾体４２,４２の裏面を遊技盤１２の前面に当接した状態で、該第１装飾体４２,４２をネジ等の固定手段で遊技盤１２に固定することで、取付部材３７(第１始動入賞装置２６)が遊技盤１２に取り付けられるようになっている。また、取付部材３７の上端部には、前記収容部材３８に形成した後述する球受け部３８ａの後方開口に連通する通孔３７ｂが前後方向に貫通形成されている。なお、前記第１装飾体４２は不透明に構成されており、第１始動入賞装置２６を遊技盤１２に取り付けた状態で、装着口１２ｂの開口縁部の前側を該第１装飾体４２で隠すよう構成してある。
【００３０】
前記取付部材３７の第１背面壁３９には、後述する遮光部材４５の遮光壁４６が挿入される前後方向に貫通する複数の第１仕切り孔３９ａが左右方向に離間して複数(実施例では３つ)形成されている。この第１仕切り孔３９ａは、上下方向に長手が延在すると共に途中で左右方向に折曲するように形成されている。また第１背面壁３９には、図３に示す如く、第１仕切り孔３９ａの形成位置より下側に、前後方向に貫通する第１基板挿通孔３９ｂが左右方向に所定長さで形成されている。なお、取付部材３７の前面および裏面に、凹凸による光拡散処理が施してある。
【００３１】
(収容部材３８について)
前記収容部材３８は、図３に示に如く、前記取付部材３７の第１周壁４０と略同じ形状に形成された第２背面壁４３の外周縁から前方に第２周壁４４を所定長さで延出することで、前側に開放する箱状に形成された部材であって、全体が光透過性に構成されている。また、収容部材３８の上端部には、上方および後方へ開放する球受け部３８ａが形成されており、取付部材３７における第１周壁４０の前面に収容部材３８の第２周壁４４の後面を当接した状態で該収容部材３８を取付部材３７の前側に取り付けることで、球受け部３８ａの後方開口に前記通孔３７ｂが連通するよう構成される。そして、収容部材３８と取付部材３７とを前後に重ねた装置本体３６を遊技盤１２に取り付けた状態で、図４,図６に示す如く、前記球受け部３８ａが遊技盤１２の前面側で上方に開口するようになっている。すなわち、前記球受け部３８ａの上方開口が前記遊技領域１２ａを流下するパチンコ球が入賞可能な前記第１始動入賞口２６ａとして機能するよう構成されている。
【００３２】
前記収容部材３８の第２背面壁４３における第２周壁４４の内側に臨む左右両側に、前側に向けて突出すると共に、前面および裏面に凹凸による光拡散処理が施された位置規制部４３ｃ,４３ｃが設けられており、両位置規制部４３ｃ,４３ｃ間に、後述する装飾図柄表示部材５６が位置決めされるよう構成される。また、第２背面壁４３には、両位置規制部４３ｃ,４３ｃの間における前記取付部材３７に形成した各第１仕切り孔３９ａと前後方向に整合する位置に、前後方向に貫通する第２仕切り孔４３ａが夫々形成されており、第１仕切り孔３９ａに挿通された前記遮光部材４５における遮光壁４６の前端部が該第２仕切り片４３ａに挿通されるようになっている。更に、第２背面壁４３には、第２仕切り孔４３ａの形成位置より下側で取付部材３７に形成した前記第１基板挿通孔３９ｂと前後方向に整合する位置に、前後方向に貫通する第２基板挿通孔４３ｂが形成されており、第１基板挿通孔３９ｂと第２基板挿通孔４３ｂとに亘って後述する第２発光基板５３が挿通されるよう構成してある(図４参照)。
【００３３】
(遮光部材４５について)
前記取付部材３７の裏側に、非光透過性の遮光部材４５が配設されている。この遮光部材４５は、後述する光透過部材５７の外周輪郭に沿って外周壁部４５ａが延在する前後に開口した筒状に形成された部材であって、外周壁部４５ａの内側に、上下方向に延在する複数の遮光壁４６が左右方向に離間して形成されて、遮光部材４５の内側に相互に光が透過しない複数(実施例では４つ)の照明室４７が区画されている(図７参照)。各遮光壁４６は、前後に整合する前記第１仕切り孔３９ａおよび第２仕切り孔４３ａと対応する形状に形成されると共に、外周壁部４５ａの前端から前方に所定長さで延出する前延出部４６ａを備えている。そして、遮光部材４５における外周壁部４５ａの前端を取付部材３７の裏面に当接した状態で、各遮光壁４６における前延出部４６ａが、取付部材３７の第１仕切り孔３９ａおよび収容部材３８の第２仕切り孔４３ａに後側から挿入されるよう構成される。これにより、取付部材３７の後側において、外周壁部４５ａおよび３つの遮光壁４６によって相互に光が透過しない４つの照明室４７が区画形成されるようになっている。また、両仕切り孔３９ａ,４３ａに遮光壁４６の前延出部４６ａを挿入することで、各背面壁３９,４３においても板面方向において光が相互に透過しないよう構成される。
【００３４】
前記遮光部材４５の上部には、外周壁部４５ａを後端から前側に凹設することで上下方向および後方に開口する光通過開口部(開口部)４５ｂが形成されており、該第１光通過開口部４５ｂは、図４,図６に示す如く、後述する基板支持部材４９に設けられた後側球通路４９ａの下方に対向するよう構成される。また、外周壁部４５ａの下面に、下方に突出する基板位置決め延部４５ｃが形成されており、前記取付部材３７および収容部材３８の基板挿通孔３９ｂ,４３ｂに前側から挿通された第２発光基板５３の後端を該基板位置決め延部４５ｃに当接することで(図４参照)、該第２発光基板５３に実装した各ＬＥＤ５４,５９を後述する透明パネル５５,６０の外周端面に対向する位置に位置決めし得るよう構成されている。
【００３５】
(第１発光基板４８について)
前記取付部材３７の裏側に、前記遮光部材４５を挟んで第１発光基板(基板)４８が、基板支持部材４９を介して配設されている。第１発光基板４８は、前面に光を照射する第１ＬＥＤ(別の発光体)４８ａおよび第２ＬＥＤ４８ｂが夫々複数実装されており、第１発光基板４８の前面を取付部材３７の裏面に対向した状態で、該第１発光基板４８の裏面に対向配置した基板支持部材４９を取付部材３７にネジ止め固定することで、取付部材３７と基板支持部材４９との間に遮光部材４５および第１発光基板４８が位置決め状態で挟持固定されるよう構成される。前記第１ＬＥＤ４８ａは、図７に示す如く、遮光部材４５の内側に前記遮光壁４６により区画された各照明室４７の夫々に複数個ずつ収容されるように配置されており、各照明室４７に収容配置されている第１ＬＥＤ４８ａを発光した場合に、他の照明室４７に光が入り込まないようになっている。すなわち、第１ＬＥＤ４８ａを、各照明室４７に収容配置されている群を単位として個別に発光制御することで、各照明室４７を個別に照明し得るよう構成されている。
【００３６】
前記第２ＬＥＤ４８ｂは、図７に示す如く、前記遮光部材４５の外側に位置するように第１発光基板４８に配置されており、該第２ＬＥＤ４８ｂを発光することで、遮光部材４５の外側(後述する光透過部材５７の外側)を照明し得るよう構成されている。前記第１および第２ＬＥＤ４８ａ,４８ｂとして、実施例ではフルカラータイプが用いられ、後述する演出に合わせて発光色を変化させ得るようになっている。なお、第１ＬＥＤ４８ａについては、単色タイプを用いることができる。
【００３７】
(基板支持部材４９)
前記基板支持部材４９の上端部には、図４,図６に示す如く、前記取付部材３７の通孔３７ｂの後方開口に連通する後側球通路４９ａが前後方向に延在するよう形成されている。そして、前記第１始動入賞口２６ａに入賞したパチンコ球が、球受け部３８ａの底面および後側球通路４９ａの底面に沿って遊技盤１２の後方に案内されるよう構成される。すなわち、実施例では、球受け部３８ａの底面および後側球通路４９ａの底面が、パチンコ球が転動する球転動部となっている。後側球通路４９ａは光透過性に構成されると共に、該後側球通路４９ａは、前記遮光部材４５の第１光通過開口部４５ｂの上方に臨んでおり、前記第１ＬＥＤ４８ａの発光により照明された照明室４７から第１光通過開口部４５ｂを介して洩れた光によって後側球通路４９ａが照明されるよう構成してある。
【００３８】
(第１発光装飾手段５０について)
前記収容部材３８には、第１発光装飾手段５０および第２発光装飾手段５１が前後方向に並んで収容されている。第１発光装飾手段５０は、図４に示す如く、収容部材３８の前記第２基板挿通孔４３ｂに挿通配置された第２発光基板５３の上面に実装されて上方に向けて光を照射する第３ＬＥＤ(発光体)５４と、該収容部材３８に収容された光透過性の第１透明パネル(第１の透明パネル)５５とを備える。
【００３９】
(第１透明パネル５５について)
前記第１透明パネル５５は、外周端面から照射された光により板面が発光するよう形成されている。すなわち、第１透明パネル５５には、レーザー彫刻方法等各種の方法によって該第１透明パネル５５における裏面全体(板面全体)に細かい凹凸が形成されており、外周端面から内部に導入された光が凹凸部分で乱反射することで第１透明パネル５５の全体が面発光するよう構成されている。ここで、第１透明パネル５５を面発光させる具体的な形成方法について説明する。例えば、印刷基材の表面に印刷によってインクの凹凸からなる印刷パターンを形成し、この印刷パターンを有する印刷基材を配置した成形金型を用いて透明パネルを成形し、得られた透明パネルから印刷基材および印刷パターンを剥離することで、インクによる凹凸の転写により形成された凸凹からなる図柄を表面全体に形成する。また、フィルムの表面に、透明な紫外線硬化樹脂による転写用の凸模様と、その凸模様に施した転写用の印刷インク層とを形成し、前記フィルムを凸模様の印刷インク層をキャビティに向けて配置した金型を用いてインモールド成形により透明パネルを成形し、得られた透明パネルからフィルムを剥離することで、紫外線硬化樹脂による印刷インク層の転写により凸凹からなる図柄を表面全体に形成する。実施例では、第１透明パネル５５の全体に施された凸凹からなる図柄(ドット柄)が面発光により発光表示される。
【００４０】
(装飾図柄表示部材５６について)
前記第１透明パネル５５は、装飾図柄表示部材５６の裏側に収容されている。この装飾図柄表示部材５６は、第１透明パネル５５の外郭形状と略一致するように形成された板部材５６ａと、該板部材５６ａの外周縁から後方に向けて延出するように形成された囲繞壁部５６ｂとからなり、図４に示す如く、第１透明パネル５５の前面を板部材５６ａの裏面に対向した状態で、該第１透明パネル５５が装飾図柄表示部材５６の裏側に収容される。囲繞壁部５６ｂにはメッキ等が施されて光を透過しないよう構成されると共に、第１透明パネル５５の外周端面と対向する囲繞壁部５６ｂの内面が光反射面として機能するよう構成されている。また、囲繞壁部５６ｂは、板部材５６ａにおける左右両側および上側の外周縁にのみ形成されており、装飾図柄表示部材５６に収容された第１透明パネル５５は、下側の外周端面が外方に露出して該下側の外周端面から内部に光が導入可能に構成されている。板部材５６ａは全体が透明に構成されると共に、該板部材５６ａには、図３に示す如く、不透明なメッキ等を施すことによって透明部分により所要の第１図柄(図柄)Ｄ１が形成されており、板部材５６ａの裏側で第１透明パネル５５が面発光することで、第１図柄Ｄ１が発光表示されて遊技者が視認可能となるよう構成される。
【００４１】
前記装飾図柄表示部材５６における囲繞壁部５６ｂの上部に、該壁部５６ｂを後側から前側に凹設することで上下方向および後方に開口する複数(実施例では３つ)の第２光通過開口部(開口部)５６ｃが形成されており、第１透明パネル５５を透過した光が該第２光通過開口部５６ｃから上方に向けて照射可能に構成されている。図５に示す如く、囲繞壁部５６ｂにおける中央の第２光通過開口部５６ｃは、前記収容部材３８に形成された球受け部(球転動部)３８ａの下方に対向するよう構成されており、第２光通過開口部５６ｃを介して上方に照射される光で球受け部(球転動部)３８ａを下方から照明し得るよう構成される。また、囲繞壁部５６ｂにおける左右両側の第２光通過開口部５６ｃ,５６ｃは、前記第２周壁４４における球受け部(球転動部)３８ａの左右両側の部位の下方に対向するよう構成されており、左右両側の第２光通過開口部５６ｃ,５６ｃを介して上方に照射される光で球受け部(球転動部)３８ａの左右両側の第２周壁４４を下方から照明し得るよう構成される。
【００４２】
(第３ＬＥＤ５４について)
前記装置本体３６の基板挿通孔３９ｂ,４３ｂに挿通された前記第２発光基板５３の上面に、図４および図５に示す如く、前記第１透明パネル５５の下側の外周端面に対向するように複数(実施例では５つ)の第３ＬＥＤ５４が左右方向に離間して実装されている。第３ＬＥＤ５４は、第１透明パネル５５の下側の外周端面に向けて光を照射するよう構成されると共に、前記制御装置２０(図８参照)に配線接続されて該制御装置２０によって発光制御されるようになっている。
【００４３】
実施例では、複数の第３ＬＥＤ５４の一部が、光軸方向を前記装飾図柄表示部材５６における上側の囲繞壁部５６ｂに設けた第２光通過開口部５６ｃを向くように配置されると共に、複数の第３ＬＥＤ５４の一部が、光軸方向を上側の囲繞壁部５６ｂの内面(光反射面)を向くように配置されている(図５参照)。すなわち、第１透明パネル５５の下側の外周端面から内部に導入された光の一部が囲繞壁部５６ｂの内面で反射することで該第１透明パネル５５の発光強度を向上し得ると共に、第１透明パネル５５の下側の外周端面から内部に導入された光の一部が第２光通過開口部５６ｃを介して外部に照射されることで、前記球受け部(球転動部)３８ａを照明し得るよう構成されている。第３ＬＥＤ５４として、実施例ではフルカラータイプが用いられ、後述する演出に合わせて発光色を変化させ得るようになっている。
【００４４】
(光透過部材５７について)
前記第１発光装飾手段５０は、前記第１透明パネル５５の後側に、所要の意匠５７ａが表示された光透過部材５７が重なるように配設されている。光透過部材５７は、透明な板部材に不透明な塗料等を塗布することで、透明部分により所要形状の意匠５７ａが形成されたものであって、実施例では稲妻をイメージした意匠５７ａが形成されている。すなわち、前記第１ＬＥＤ４８ａからの光が光透過部材５７に裏側(板面側)から照射されることで、稲妻の意匠５７ａを板面側に浮かび上がらせて遊技者に視認させ得るようになっている。また、光透過部材５７は、前記遮光部材４５の内部輪郭形状の略同じ外郭形成に形成されており、第１発光装飾手段５０を収容部材３８に収容すると共に、該収容部材３８の裏側に遮光部材４５を配設した状態で、該遮光部材４５の内側の前側に光透過部材５７が位置するようになっている。そして、遮光部材４５の各照明室４７に収容配置されている第１ＬＥＤ４８ａを個別に発光させることで、光透過部材５７の発光領域を変化させ得るように構成される。
【００４５】
(第１積層体５８について)
また、前記第１発光装飾手段５０は、第１透明パネル５５と光透過部材５７との間に、該第１透明パネル５５の裏面(対向面)を覆う第１積層体５８が挟まれるように積層されている。第１積層体５８は、第１透明パネル５５の外周端面から照射された光が厚み方向に重ねられた光透過部材５７側に透過するのを防止すると共に、光透過部材５７に裏側から照射された光は透過し得るよう構成されている。第１積層体５８としては、例えばハーフミラーを用いることができるが、入射光と反射光との強さが１：１に限られるものではない。すなわち、前記第１ＬＥＤ４８ａを発光させた場合には、光透過部材５７に形成されている意匠５７ａ(稲妻)を明確に認識し得るように表示させ得ると共に、前記第３ＬＥＤ５４を発光させた場合には、光透過部材５７に形成されている意匠５７ａが目立つことなく、前記装飾図柄表示部材５６に形成されている第１図柄Ｄ１が目立つように発光表示されるようになっている。なお、前記第１透明パネル５５、光透過部材５７および第１積層体５８は、同一外郭形状に形成されており、該第１透明パネル５５、光透過部材５７および第１積層体５８を前後に重ねた状態で、前記装飾図柄表示部材５６の裏側に収容されるよう構成してある。そして、第１透明パネル５５、第１積層体５８および光透過部材５７を収容した装飾図柄表示部材５６が、前記収容部材３８に対して光透過部材５７を第２背面壁４３に対向して前記位置規制部４３ｃ,４３ｃで位置決めされた状態で収容されるようになっている。
【００４６】
(第２発光装飾手段５１について)
前記第２発光装飾手段５１は、図４に示すように、前記収容部材３８の前記第２基板挿通孔４３ｂに挿通配置された前記第２発光基板５３の上面に実装されて上方に向けて光を照射する第４ＬＥＤ(発光体)５９と、該収容部材３８に収容された光透過性の第２透明パネル(第２の透明パネル)６０とを備える。第２透明パネル６０は、前記第１発光装飾手段５０における装飾図柄表示部材５６の前側に、該装飾図柄表示部材５６の全体が重なるように配置されている。
【００４７】
(第２透明パネル６０について)
前記第２透明パネル６０には、外周端面から内部に導入される光が反射することで前側から視認可能となる第２図柄(図柄)Ｄ２(実施例では丸形を例に挙げているが、パチンコ機１０のモチーフとなるキャラクターに関連する形状、その他のものであってもよい)が形成されている。なお、第２透明パネル６０に対して前面および後面から照射される光は前記第２図柄Ｄ２で殆ど反射することなく透過して、該第２図柄Ｄ２は前側から殆ど視認されないよう構成される。すなわち、第２透明パネル６０の第２図柄Ｄ２は、裏側に位置する前記第１ＬＥＤ４８ａからの光が裏面(板面)に照射されたときには浮き出るように表示されることなく、前記第４ＬＥＤ５９から照射された光が外周端面から内部に導入されたときに前側から視認可能となって浮き出るように表示される。なお、実施例では第２透明パネル６０に２つの第２図柄Ｄ２が形成されると共に、各図柄Ｄ２の一部が前記装飾図柄表示部材５６に形成された第１図柄Ｄ１の前側に重なるように位置している。すなわち、装飾図柄表示部材５６を挟んで厚み方向に積層される第１透明パネル５５と第２透明パネル６０とは、第１透明パネル５５に形成された図柄の形成領域(実施例では全面)と、第２透明パネル６０に形成された第１図柄Ｄ１とが重なっている。
【００４８】
前記第２図柄Ｄ２の形成方法としては、レーザー彫刻方法等、各種の方法を用いることができる。例えば、印刷基材の表面に印刷によってインクの凹凸からなる印刷パターンを形成し、この印刷パターンを有する印刷基材を配置した成形金型を用いて透明パネルを成形し、得られた透明パネルから印刷基材および印刷パターンを剥離することで、インクによる凹凸の転写により形成された凸凹からなる図柄を表面に形成する方法を採用し得る。また、フィルムの表面に、透明な紫外線硬化樹脂による転写用の凸模様と、その凸模様に施した転写用の印刷インク層とを形成し、前記フィルムを凸模様の印刷インク層をキャビティに向けて配置した金型を用いてインモールド成形により透明パネルを成形し、得られた透明パネルからフィルムを剥離することで、紫外線硬化樹脂による印刷インク層の転写により図柄を表面に形成する方法も採用可能である。
【００４９】
(第４ＬＥＤ５９について)
前記装置本体３６の基板挿通孔３９ｂ,４３ｂに挿通された前記第２発光基板５３の上面に、図４に示す如く、前記第２透明パネル６０の下側の外周端面に対向するように複数(実施例では６つ)の第４ＬＥＤ５９が左右方向に離間して実装されている。第４ＬＥＤ５９は、第２透明パネル６０の下側の外周端面に向けて光を照射するよう構成されると共に、前記制御装置２０に配線接続されて該制御装置２０によって発光制御されるようになっている。第４ＬＥＤ５９として、実施例ではフルカラータイプが用いられ、演出形態に応じて発光色を変化させ得るようになっている。
【００５０】
(第２積層体６１について)
また、前記第２発光装飾手段５１は、前記第２透明パネル６０の裏側(装飾図柄表示部材５６との間)に、図４に示す如く、該第２透明パネル６０の裏面(対向面)を覆う第２積層体(積層体)６１が配設されている。第２積層体６１は、第２透明パネル６０の外周端面から照射された光が厚み方向に重なる装飾図柄表示部材５６側に透過するのを防止すると共に、裏側(板面側)から照射された光は透過し得るよう構成されている。第２積層体６１については、前記第１積層体５８と同様に、例えばハーフミラーを用いることができるが、入射光と反射光との強さが１：１に限られるものではない。すなわち、前記第１ＬＥＤ４８ａを発光させた場合には、前記光透過部材５７の意匠５７ａや装飾図柄表示部材５６の第１図柄Ｄ１を明確に認識し得るように表示させ得ると共に、第４ＬＥＤ５９を発光させた場合には、前記意匠５７ａや第１図柄Ｄ１を目立たせることなく、第２透明パネル６０に形成されている第２図柄Ｄ２が浮き出るように発光表示されるようになっている。
【００５１】
前記収容部材３８の前側には、下端縁に沿って延在する第２装飾体６２と、該第２装飾体６２に下端部が接続されると共に収容部材３８の左右の縁部に沿って延在する一対の第３装飾体６３,６３が着脱自在に配設されている。そして、実施例では、第２装飾体６２および第３装飾体６３,６３を収容部材３８の前側に取り付けることで、該収容部材３８に収容された第１発光装飾手段５０および第２発光装飾手段５１が位置決め保持されるよう構成される。なお、第２装飾体６２は光透過性に形成されると共に、第３装飾体６３,６３は非光透過性に形成されており、前記第２ＬＥＤ４８ｂを発光した際には該第２装飾体６２が明輝するようになっている。
【００５２】
(制御装置２０について)
図８に示す如く、前記制御装置２０には、各種検出センサ３１,３２,３４,３５、操作ボタン１９、ソレノイド３０,３３、図柄表示装置１８およびＬＥＤ４８ａ,４８ｂ,５４,５９が配線接続されている。そして、制御装置２０では、各種検出センサ３１,３２,３４,３５からの検出信号に基づいて各種処理が実行され、その処理結果に応じてソレノイド３０,３３、図柄表示装置１８およびＬＥＤ４８ａ,４８ｂ,５４,５９を制御装置２０が制御するよう構成されている。すなわち、制御装置２０は、前記第１始動入賞装置２６が備える各ＬＥＤ４８ａ,４８ｂ,５４,５９を個別に発光制御する発光制御手段としての機能を有している。
【００５３】
前記制御装置２０は、前記始動入賞口２６ａ,２９ａへパチンコ球が入賞したこと(より具体的には始動入賞検出センサ３１,３２がパチンコ球を検出したこと)を契機として入賞情報(遊技情報)としての各種乱数を取得するよう設定されている。すなわち、制御装置２０は、各種乱数値を所定の周期(例えば、４ｍｓ)で更新し、更新後の乱数値を一時的に記憶して更新前の値を書き換えることにより、始動入賞検出センサ３１,３２の検出信号が制御装置２０に入力されたタイミングに応じて乱数が取得されるようになっている。また、前記始動入賞口２６ａ,２９ａにパチンコ球が入賞した際に取得される入賞情報(各種乱数値)は、始動保留情報として制御装置２０に一時的に記憶保持されるよう構成されている。始動保留情報は、制御装置２０に記憶する順序で記憶する記憶領域が定まっており、各始動保留情報に基づいて前記図柄表示装置１８で図柄変動演出を実行する場合に、制御装置２０に記憶した順序で始動保留情報が制御装置２０により読み出されるようになっている。なお、以下の説明において、始動入賞口２６ａ,２９ａへのパチンコ球の入賞を契機として入賞情報を取得した時点で制御装置２０に記憶される始動保留情報を入賞時始動保留情報と指称し、図柄変動演出を実行する際に読み出される始動保留情報を変動開始時始動保留情報と指称して区別する場合がある。
【００５４】
前記制御装置２０は、始動入賞口２６ａ,２９ａへのパチンコ球の入賞を契機として取得された入賞情報に基づいて、図柄変動演出の結果として大当り遊技を発生するか否かの当り判定(大当り判定)を行うよう構成される。具体的には、始動入賞口２６ａ,２９ａにパチンコ球が入賞したときに取得された大当り判定用乱数の値が大当り判定値と一致するか否かを判定し、大当り判定用乱数の値が大当り判定値と一致する場合に、制御装置２０が大当り遊技を行うように前記特別入賞装置２７(具体的には特別入賞ソレノイド３３)や図柄表示装置１８を制御するよう構成されている。すなわち、始動入賞口２６ａ,２９ａへのパチンコ球の入賞を契機として当りか否かを判定する当り判定手段としての機能を制御装置２０が備えている。また、始動入賞口２６ａ,２９ａへのパチンコ球の入賞が、制御装置２０が遊技情報を取得する遊技開始条件の成立として設定されると共に、遊技情報を取得する遊技情報取得手段としての機能を制御装置２０が備えている。
【００５５】
実施例のパチンコ機１０では、１つの始動保留情報に基づいて行われる図柄変動演出の変動開始から変動停止までを１回の単位演出として、複数回の図柄変動演出に亘って単位演出を実行させる連続予告演出(先読み予告演出)を、図柄表示装置１８に大当り表示が表示される可能性を示唆する予告演出として実行可能に構成されている。具体的にパチンコ機１０では、始動入賞検出センサ３１,３２の検出を契機として入賞情報(乱数値)を取得する毎に取得した入賞情報に対応する入賞時始動保留情報に基づいて演出内容を特定(先読み)して、当該入賞情報を取得した時点で既に制御装置２０に記憶されている始動保留記憶に基づいて実行される図柄変動演出に跨がって連続予告演出を行わせるか否かを決定するよう構成されている。すなわち、始動入賞検出センサ３１,３２の検出を契機として取得された入賞情報を変動開始時始動保留情報として図柄変動演出(連続予告演出の本変動演出)が行われた際に大当り表示が表示される可能性(大当り遊技が発生する可能性)を前もって示唆し得るよう構成されている。
【００５６】
またパチンコ機１０では、前記連続予告演出(先読み予告演出)を実行するための先読み予告処理を、前記始動入賞口２６ａ,２９ａへのパチンコ球の入賞を契機として制御装置２０が実行するよう構成されている。すなわち、始動入賞口２６ａ,２９ａにパチンコ球が入賞してから次の図柄変動演出が開始されるよりも前に、先読み予告処理が実行される。言い換えると、先読み予告処理は、図柄変動演出の前に実行するよう構成されている。この先読み予告処理では、前記制御装置２０は、前記始動入賞口２６ａ,２９ａにパチンコ球が入賞したときに取得した入賞時始動保留情報に基づいて、当該入賞時始動保留情報を変動開始時始動保留情報とした場合に図柄変動演出の結果として大当り表示が図柄表示装置１８に表示されるか否かを事前判定する。具体的には、始動入賞口２６ａ,２９ａにパチンコ球が入賞したときに取得された大当り判定用乱数の値が事前大当り判定値と一致するか否かを事前判定する。ここで、事前大当り判定値は、前記大当り判定で使用される大当り判定値と同一の値に設定されている。すなわち、始動保留情報に基づく事前大当り判定が肯定であった場合は、遊技状態(より具体的には大当り確率が異なる確変状態か非確変状態か)が変化しない限り、当該肯定判定された始動保留情報を変動開始時始動保留情報として本変動演出(図柄変動演出)が行われた際に、大当りが発生することになる。
【００５７】
また、前記制御装置２０は、事前大当り判定を行うと、該判定結果を示す事前大当り情報を含む先読み演出情報を生成して所定の記憶領域に設定する。従って、先読み演出情報を参照することで、始動入賞口２６ａ,２９ａにパチンコ球が入賞したときに取得された始動保留情報を変動開始時始動保留情報として本変動演出(図柄変動演出)が行われた際に、大当りが発生するか否かを識別し得るようになっている。また、先読み演出情報には、始動入賞口２６ａ,２９ａに入賞した時点において、前記制御装置２０が記憶する始動保留情報の記憶数を示す保留数情報が含まれている。なお、実施例のパチンコ機１０では、第１始動入賞口２６ａへのパチンコ球の入賞を契機としては連続予告演出が行われる一方、第２始動入賞口２９ａへのパチンコ球の入賞を契機としては連続予告演出が行われないよう構成されている。従って、以下の説明では、基本的に第１始動入賞口２６ａへのパチンコ球の入賞を契機として制御装置２０が行う連続予告演出に関する処理を説明する。
【００５８】
実施例のパチンコ機１０の制御装置２０では、前記先読み演出情報が生成される毎に、連続予告演出を行うか否かの実行可否判定を行うよう設定されると共に、当該連続予告演出の実行可否判定の判定結果を連続予告実行回数情報と対応付けて個別に記憶し得るよう構成されている。そして実施例では、連続予告演出の実行可否の判定結果が制御装置２０に最大で４つまで記憶されるようになっている。また制御装置２０は、連続予告演出の実行を決定した場合に、連続予告演出を実行する図柄変動演出の変動回数(実行回数)を決定するよう構成されている。
【００５９】
実施例のパチンコ機１０では、前記連続予告演出を、前記第１始動入賞装置(発光演出装置)２６による発光演出の発光色の種類を変化することで行うよう構成されている。この発光色の種類として、実施例では４種類が設定されており、これら発光色の種類が前記制御装置２０に記憶されている。また、発光色の具体的な種類として、制御装置２０には「青色」、「黄色」、「緑色」、「赤色」の４色が記憶されている。そして、制御装置２０は、第１始動入賞口２６ａへのパチンコ球の入賞時に記憶した始動保留情報に基づいて設定された先読み演出情報に基づいて発光演出の発光色を決定し、連続予告演出における単位演出としての発光演出での発光色を変化させることで、図柄表示装置１８に大当り表示が表示される(大当りに当選している)可能性を示唆し得るようにしている。本実施例では、第１始動入賞装置２６で実行される発光演出の発光色によって、大当りに当選している期待度が異なるよう設定されている。具体的には、「青色」、「黄色」、「緑色」、「赤色」と段階的に色が変化するにつれて期待度が高くなるよう設定される。なお、大当りに当選している場合に制御装置２０が発光色を決定する確率を、「青色」、「黄色」、「緑色」、「赤色」の順で高くなるように設定すると共に、大当りに当選していないはずれの場合に制御装置２０が発光色を決定する確率を、「青色」、「黄色」、「緑色」、「赤色」の順で低くなるように設定することで、発光色の大当り期待度が異なるようになっている。
【００６０】
実施例では、前記先読み演出情報に基づいて制御装置２０が発光色として「青色」、「黄色」および「緑色」を決定した場合は、該制御装置２０は前記第３ＬＥＤ５４を発光制御して対応する色を発光させるよう構成されるのに対し、先読み演出情報に基づいて制御装置２０が発光色として「赤色」を決定した場合は、該制御装置２０は前記第４ＬＥＤ５９を発光制御して対応する色を発光させるよう構成されている。すなわち、「青色」、「黄色」および「緑色」の光が第３ＬＥＤ５４から前記第１透明パネル５５の外周端面に向けて照射されることで、該第１透明パネル５５が面発光して前記装飾図柄表示部材５６に形成されている第１図柄Ｄ１が発光表示される。これに対し、「赤色」の光が第４ＬＥＤ５９から前記第２透明パネル６０の外周端面に向けて照射されることで、該第２透明パネル６０に形成されている第２図柄Ｄ２が浮き出るように発光表示されるようになっている。すなわち、実施例では第１透明パネル５５が発光された場合より、第２透明パネル６０が発光された方が大当り期待度が高くなっている。
【００６１】
このように、前記制御装置２０は、大当り判定の判定結果に基づいて図柄表示装置１８に大当り表示が表示される可能性を示唆する予告演出(連続予告演出)を実行させることを決定する予告演出実行決定手段として機能している。ここで、実施例では連続予告演出において発光させる発光色を決定した場合に、決定された発光色によって発光させるＬＥＤ５４,５９が決まっているので、必然的に発光させる透明パネル５５,５９も特定されることとなる。すなわち、連続予告演出の発光色を決めることで、発光させる透明パネル５５,５９も決定されるので、制御装置２０は、予告演出(連続予告演出)で発光させる透明パネル５５,５９を、予告演出実行決定手段としての制御装置２０の決定に基づいて決定するパネル決定手段としての機能を有している。また、連続予告演出において実行回数が複数の場合に制御装置２０が、発光色として「赤色」と、その他の発光色を決定した場合は、２つ(複数)の透明パネル５５,６０を決定することになるのに対し、「赤色」以外の発光色のみを決定した場合は、１つの透明パネル５５のみを決定することになる。
【００６２】
実施例では、先読み演出情報に基づいて連続予告演出の実行が決定された場合は、決定した時点で実行されている図柄変動演出の次に実行される図柄変動演出において、前記制御装置２０は、前記図柄表示装置１８に操作ボタン１９の操作を促す画像を表示させると共に、操作ボタン１９の操作(押下)を有効とする操作有効期間(時間)を設定するよう構成される。そして、遊技者が操作ボタン１９を操作した場合は、該操作ボタン１９の操作信号が制御装置２０に入力されたことを契機として、前記第１ＬＥＤ４８ａを発光した後に、連続予告演出の決定時点で制御装置２０に記憶されていた最も古い始動保留情報を変動開始時始動保留情報として行われる連続予告演出の１変動目の単位演出(発光演出)が実行されるよう構成される。なお、操作有効期間が経過するまでに操作信号が制御装置２０に入力されない場合は、該操作有効期間の経過を契機として、１変動目の単位演出(発光演出)が実行されるようになっている。
【００６３】
また本実施例では、連続予告演出における単位演出(発光演出)により示される大当り期待度が低下しないように、制御装置２０が発光色を決定するよう構成されている。具体的に、１変動目の単位演出(発光演出)の発光色が「青色」の場合は、２変動目の単位演出(発光演出)の発光色として「青色」、「黄色」、「緑色」および「赤色」の中から決定可能で、１変動目の単位演出(発光演出)の発光色が「黄色」の場合は、２変動目の単位演出(発光演出)の発光色として「青色」以外の発光色が決定可能であり、同様に１変動目の単位演出(発光演出)の発光色が「緑色」の場合は、２変動目の単位演出(発光演出)の発光色として「青色」および「黄色」以外の発光色が決定可能となっている。
【００６４】
(実施例の作用)
次に、前述のように構成された実施例に係るパチンコ機１０の作用につき説明する。
【００６５】
前記前枠１３の前面側に設けられた前記操作ハンドル１７の操作レバー１７ａを遊技者が回転操作すると、前記打球発射装置から発射されたパチンコ球が前記遊技盤１２の遊技領域１２ａ内に打ち出される。遊技領域１２ａを流下するパチンコ球が第１始動入賞装置２６または第２始動入賞装置２９に入賞すると、前記制御装置２０の制御に基づいて前記図柄表示装置１８での図柄変動演出が開始され、図柄変動演出の結果、図柄表示装置１８に所定の図柄組み合わせが表示されると大当りが発生する。大当りが発生すると、図柄表示装置１８に表示された図柄組み合わせに応じて、前記遊技盤１２に設けられた特別入賞装置２７の特別入賞口２７ａが所定条件で開放制御される大当り遊技が実行されると共に、前記制御装置２０の制御に基づいて図柄表示装置１８において大当り演出が行われる。
【００６６】
前記パチンコ機１０では、前記図柄表示装置１８で行われる図柄変動演出や大当り演出に応じて、前記第１始動入賞装置２６に設けられた複数種類のＬＥＤ４８ａ,４８ｂ,５４,５９が発光されたり点滅されて、該第１始動入賞装置２６により実行される発光演出により遊技の興趣が向上される。
【００６７】
(第１始動入賞装置２６で実行される発光演出について)
前記第１始動入賞装置２６において、前記第１発光基板４８の第１ＬＥＤ４８ａが発光されると、前記収容部材３８に収容されている光透過部材５７が裏側から照明され、該光透過部材５７に形成されている意匠５７ａが発光表示される。この場合に、第１ＬＥＤ４８ａは、図７に示す如く、前記遮光部材４５によって画成された照明室４７の夫々に収容配置されているので、照明室４７に収容配置された第１ＬＥＤ４８ａ毎に個別に発光制御することで、意匠５７ａが表示された光透過部材５７の発光領域を変化させることができ、発光演出の多様化を図り得る。また、前記第１発光基板４８の第２ＬＥＤ４８ｂが発光されると、前記光透過部材５７の外側が裏側から照明されて、第１ＬＥＤ４８ａにより発光表示される意匠５７ａの外側を発光装飾して、演出効果を向上し得る。なお、第２ＬＥＤ４８ｂは、図７に示す如く、前記遮光部材４５の外側に配置されているので、該第２ＬＥＤ４８ｂから照射される光によって光透過部材５７の意匠５７ａが照明されることはなく、意図しないときに意匠５７ａが照明されるのを防止し得る。
【００６８】
前記第１および第２ＬＥＤ４８ａ,４８ｂを消灯した状態で、前記第３ＬＥＤ５４を発光すると、該第３ＬＥＤ５４から照射された光が前記第１透明パネル５５の下側の外周縁面から内部に導入されて、該第１透明パネル５５の全体が面発光する。これにより、前記装飾図柄表示部材５６に形成されている第１図柄Ｄ１が発光表示される。この場合に、第１透明パネル５５と前記光透過部材５７との間に、前記第１積層体５８が配設されているので、第１透明パネル５５内に導入された光が光透過部材５７側に透過するのは防止される。すなわち、第３ＬＥＤ５４の光によって前記光透過部材５７の意匠５７ａが発光表示されるのは防止され、第１透明パネル５５の前側において発光表示されている第１図柄Ｄ１の後方で発光表示された意匠５７ａが重なることで第１図柄Ｄ１が目立たなくなるのを防ぐことができる。
【００６９】
次に、前記第１および第２ＬＥＤ４８ａ,４８ｂおよび第３ＬＥＤ５４を消灯した状態で、前記第４ＬＥＤ５９を発光すると、該第４ＬＥＤ５９から照射された光が前記第２透明パネル６０の下側の外周縁面から内部に導入されて、該第２透明パネル６０に形成されている第２図柄Ｄ２が浮き出るように発光表示される。この場合に、第２透明パネル６０と前記装飾図柄表示部材５６との間に、前記第２積層体６１が配設されているので、第２透明パネル６０内に導入された光が装飾図柄表示部材５６側に透過するのは防止される。すなわち、第４ＬＥＤ５９の光によって装飾図柄表示部材５６の第１図柄Ｄ１が発光表示されるのは防止され、第２透明パネル６０において発光表示されている第２図柄Ｄ２の後方に、第１図柄Ｄ１が発光表示されて重なることで第２図柄Ｄ２が目立たなくなるのを防ぐことができる。
【００７０】
前記第２透明パネル６０に形成されている第２図柄Ｄ２は、外周端面から光が導入されることで前側から視認可能となるので、第４ＬＥＤ５９の点灯・消灯によって第２図柄Ｄ２を任意に発光表示することができ、バリエーションのある発光演出が可能となる。また、第４ＬＥＤ５９を消灯している状態では、第２透明パネル６０の第２図柄Ｄ２は発光表示されないので、当該第２図柄Ｄ２が、外周端面から光が導入されていない状態において前記第１透明パネル５５による第１図柄Ｄ１の発光演出や、前記第１ＬＥＤ４８ａによる光透過部材５７の意匠５７ａによる発光演出を阻害することはない。しかも、第２積層体６１によって外周端面から照射された光が裏側に透過するのを防止しているので、第３ＬＥＤ５４を消灯すると共に第４ＬＥＤ５９を点灯した際に第２図柄Ｄ２が発光表示された際の意外性を高めることができる。
【００７１】
実施例の第１始動入賞装置２６では、２枚の透明パネル５５,６０を厚み方向に積層して、各透明パネル５５,６０の外周端面に対向するよう配置したＬＥＤ５４,５９を個別に発光することで、透明パネル５５,６０毎に板面側を発光させ得る。すなわち、発光させる透明パネル５５,６０を変更することで発光演出の演出態様を変化させることができ、多彩な発光演出を行うことができる。また、積層した透明パネル５５,６０の間に第２積層体６１を配置すると共に、第１透明パネル５５と光透過部材５７との間に第１積層体５８を配置して、透明パネル５５,６０の外周端面から照射された光が積層した別の透明パネル５５,６０や光透過部材５７側に透過するのを防止するようにしているので、意図しない透明パネル５５,６０や光透過部材５７が発光するのを防ぐことができる。これにより、発光演出の演出態様が変化することへの意外感を高め、遊技の興趣を向上することが可能となる。
【００７２】
実施例の第１始動入賞装置２６では、該入賞装置２６に配設した第１〜第４ＬＥＤ４８ａ,４８ｂ,５４,５９を個別に発光させることで、透明パネル５５,６０の板面側を発光ささせて第１図柄Ｄ１や第２図柄Ｄ２を発光表示させる発光演出態様と、光透過部材５７に表示された意匠５７ａを板面側から視認可能とする発光演出態様とを切り替えることができ、発光演出の多様化を図ることができる。また、透明パネル５５,６０の板面側を発光させる発光演出を、第１ＬＥＤ４８ａから照射された光により表示された意匠５７ａを視認可能とする発光演出に重ねて行うことができ、バリエーション豊かな演出が可能となる。更に、第２透明パネル６０の第２図柄Ｄ２は、外周端面から光が導入されることで前側から視認可能となるので、外周端面から光を導入していない状態では、第１ＬＥＤ４８ａから照射された光により表示された意匠５７ａを表示する発光演出を単独で行う場合に、この発光演出が第２透明パネル６０の第２図柄Ｄ２により阻害されることはない。
【００７３】
前記装飾図柄表示部材５６における第１透明パネル５５の下側の外周端面以外の部分を覆う囲繞壁部５６ｂの内面を光反射面として構成してあるので、下側の外周端面から導入された光による第１透明パネル５５の発光強度を向上させることができ、前記装飾図柄表示部材５６の第１図柄Ｄ１を強い光で発光表示させることができる。また、図５,図６に示す如く、囲繞壁部５６ｂにおける前記球受け部３８ａの下側に対向する部分に第２光通過開口部５６ｃを開設すると共に、複数の第３ＬＥＤ５４の一部の光軸が該第２光通過開口部５６ｃを向くように設定してある。これにより、第１透明パネル５５の外周端面から内部に導入された光を、第２光通過開口部５６ｃを介して第１始動入賞口２６ａから入賞したパチンコ球が転動する球受け部３８ａの底面を照射することができ、発光による演出効果を向上することができる。すなわち、第３ＬＥＤ５４を発光させることで、第１透明パネル５５の発光による発光演出と、遊技者が注目している第１始動入賞口２６ａに入賞したパチンコ球の球転動部である球受け部３８ａの発光による発光演出とを同時に実現することができる。
【００７４】
また、実施例の第１始動入賞装置２６では、前記遮光部材４５の外周壁部４５ａにおける前記基板支持部材４９に設けられた後側球通路４９ａの下側に対向する部分に第１光通過開口部４５ｂを開設しているので(図６参照)、前記第１ＬＥＤ４８ａを発光した際に各照明室４７から該第１光通過開口部４５ｂを介して漏れた光によって後側球通路４９ａを照明することができる。すなわち、第１ＬＥＤ４８ａを発光させることで、前記光透過部材５７の意匠５７ａを発光表示する発光演出と、遊技者が注目している第１始動入賞口２６ａに入賞したパチンコ球の球転動部である後側球通路４９ａの発光による発光演出とを同時に実現することができる。
【００７５】
次に、前記第１始動入賞装置２６の発光演出を、連続予告演出の単位演出として用いる場合について、連続予告演出の実行回数が４回で、発光色として「青色」→「黄色」→「緑色」→「赤色」の順で決定される場合で説明する。
【００７６】
前記制御装置２０が、先読み演出情報に基づいて連続予告演出の実行を決定した場合は、連続予告演出の決定時点で制御装置２０に記憶されていた最も古い始動保留情報を変動開始時始動保留情報として行われる図柄変動演出において、制御装置２０は、前記操作ボタン１９の操作を促す画像を表示させると共に、操作ボタン１９の操作を有効とする操作有効期間を設定する。操作有効期間内に操作ボタン１９の操作信号が制御装置２０に入力されると、該制御装置２０は前記第１発光基板４８に実装されている第１ＬＥＤ４８ａを発光するよう制御する。これにより、前述したように光透過部材５７の意匠５７ａが発光表示される。また、連続予告演出の１変動目の単位演出が実行される。すなわち、１変動目の単位演出としての発光色は「青色」が決定されているので、前記第１始動入賞装置２６において前記第３ＬＥＤ５４が青色で発光し、前記第１透明パネル５５が青色で面発光することで、前記装飾図柄表示部材５６の第１図柄Ｄ１が青色で発光表示される。なお、操作ボタン１９の操作信号が制御装置２０に入力された場合に、前記図柄表示装置１８の表示部において上側から下側に向けて稲妻が落ちる演出を行うように制御装置２０が図柄表示装置１８を制御することで、前記意匠５７ａが発光表示される演出と相俟って演出の興趣を向上することができる。
【００７７】
次に、連続予告演出の決定時点で制御装置２０に記憶されていた２番目に古い始動保留情報を変動開始時始動保留情報として行われる連続予告演出の２変動目の単位演出では、発光色は「黄色」が決定されているので、前記第１始動入賞装置２６において前記第３ＬＥＤ５４が黄色で発光し、前記第１透明パネル５５が黄色で面発光することで第１図柄Ｄ１が黄色で発光表示される。同様に、連続予告演出の決定時点で制御装置２０に記憶されていた３番目に古い始動保留情報を変動開始時始動保留情報として行われる連続予告演出の３変動目の単位演出では、発光色は「緑色」が決定されているので、前記第１始動入賞装置２６において前記第３ＬＥＤ５４が緑色で発光し、前記第１透明パネル５５が緑色で面発光することで第１図柄Ｄ１が緑色で発光表示される。発光色が「青色」,「黄色」,「緑色」の場合は、同じ第１図柄Ｄ１が発光表示されるが、発光色が変化することで、大当りに当選していることを期待して遊技を楽しむことができる。
【００７８】
そして、連続予告演出の本変動演出(４変動目)の単位演出では、発光色は「赤色」が決定されているので、前記第１始動入賞装置２６において前記第４ＬＥＤ５９が赤色で発光し、前記第２透明パネル６０に形成されている前記第２図柄Ｄ２が赤色で浮き出るように発光表示される。すなわち、発光色が変化すると共に発光表示される図柄も変化するので、発光演出に対する興趣を高めることができる。
【００７９】
実施例のパチンコ機１０では、第１始動入賞装置２６で実行される発光演出での発光色の種類によって大当り表示が表示される期待度が異なるように設定されると共に、発光色によって発光表示される図柄Ｄ１,Ｄ２(透明パネル５５,６０)も異なるよう構成されている。従って、連続予告演出での発光演出において発光する透明パネル５５,６０の種類に対する関心を高めることができ、遊技の興趣の向上を図ることができる。また、連続予告演出において発光色が変化、すなわち発光される透明パネル５５,６０が変化することで大当りが表示される期待度が高くなるよう設定されているので、発光される透明パネル５５,６０の種類に対する関心を高め、遊技の興趣を向上することができる。
【００８０】
また、前記第１透明パネル５５が面発光する場合は、前記装飾図柄表示部材５６において透明部分で構成される第１図柄Ｄ１が発光表示されるのに対し、第２透明パネル６０が発光する場合は、該第２透明パネル６０に形成されている第２図柄Ｄ２が浮き出るように発光表示される。このように、発光される透明パネル５５,６０の種類によって発光演出が異なるので、バリエーションのある発光演出が可能となる。しかも、発光される透明パネル５５,６０の種類が変化することで大当り表示が表示される期待度も高くなるので、遊技の興趣を一層向上することができる。
【００８１】
更に、実施例のパチンコ機１０では、連続予告演出の実行を決定した際には、透明パネル５５,６０を発光演出する前に、前記第１ＬＥＤ４８ａを発光することで、光透過部材５７に形成されている意匠５７ａを発光表示させるよう構成してあるので、引き続いて行われる透明パネル５５,６０を用いた予告演出に対して関心を惹き付けることができ、遊技の興趣を向上し得る。
【００８２】
(別実施例について)
図９は、パチンコ機１０の第１始動入賞装置２６に配設される透明パネルの別実施例を示すものであって、前述した実施例と異なる部分についてのみ説明する。
【００８３】
図９は、別実施例の第１透明パネル６４および第２透明パネル６５を示すものであって、第１透明パネル６４に、前述した実施例で説明した方法によって第３図柄Ｄ３が形成されており、該第３図柄Ｄ３は、第１透明パネル６４に外周端面から導入された光(第３ＬＥＤ５４)によって発光表示されるよう構成される。また、第２透明パネル６５には、実施例と同じく第２図柄Ｄ２が形成されている。そして、第１透明パネル６４と第２透明パネル６５とは、第２図柄Ｄ２および第３図柄Ｄ３の形成領域が前後(積層方向)で重なると共に前記第２積層体６１を介して厚み方向に積層された状態で前記収容部材３８に収容されるよう構成されている。なお、別実施例では、第１透明パネル６４、第２透明パネル６５および第２積層体６１の外郭形状が同じに形成してある。
【００８４】
すなわち、別実施例では、前記第４ＬＥＤ５９を消灯した状態で第３ＬＥＤ５４を発光することで、第３図柄Ｄ３が前側から視認可能に表光表示されると共に、第３ＬＥＤ５４を消灯した状態で第４ＬＥＤ５９を発光することで、第２図柄Ｄ２が前側から視認可能に表光表示される。第１透明パネル６４と第２透明パネル６５とは、図柄Ｄ２,Ｄ３が前後に重なるように積層されているので、各透明パネル６４,６５に形成された図柄Ｄ２,Ｄ３を同じ場所で発光させることができる。すなわち、同じ場所で異なる発光演出が可能となるから、発光演出の演出態様を多彩にし得ると共に、発光演出の演出内容に対する関心を高めることができる。
【００８５】
(変更例)
本願は前述した実施例の構成に限定されるものではなく、その他の構成を適宜に採用することができる。
(1) 実施例では、２枚の透明パネルを積層するよう構成したが、該透明パネルの積層数は３枚以上であってもよく、該透明パネルの数に応じて外周端面に向けて光を照射する発光体が個々に発光制御可能に構成されていればよい。
(2) 実施例では、発光演出装置を第１始動入賞装置に採用した場合で説明したが、第２始動入賞装置や特別入賞装置に採用してもよい。また発光演出装置は、入賞口を備えない装置であってもよい。
(3) 実施例では、装飾図柄表示部材や遮光部材に形成した光通過開口部を介して第３ＬＥＤや第１ＬＥＤの光を球転動部(球受け部材や後側球通路)に向けて照射するよう構成したが、光通過開口部の形成位置を変えることで、第１始動入賞装置(発光演出装置)の周囲に配置された別の遊技部品を照明するようにすることができる。
(4) 実施例では、各透明パネルに対してＬＥＤの光を下側から照射するよう構成したが、発光演出装置の配設位置に応じて、透明パネルに対してＬＥＤの光を側方や上方から照射する構成を採用し得る。
【００８６】
(5) 実施例では、連続予告演出において変化可能な発光色として「青色」,「黄色」,「緑色」，「赤色」の４色を挙げたが、該発光色としてはこれ以外の色であってもよく、また変化可能な発光色の種類も４色に限定されるものでなく、複数であれば２色、３色あるいは５色以上であってもよい。
(6) 実施例では、連続予告演出において後側に位置する第１透明パネルを複数色で発光させるのに対し、前側に位置する第２透明パネルは１色(赤色)で発光させるようにしたが、第２透明パネルを複数色で発光させるようにすることができる。
(7) 連続予告演出において各単位演出毎に発光色を決定するものに限らず、実行回数に応じて予め設定された発光色の組み合わせ(大当り期待度が低下しない組み合わせ)の変化パターンを制御装置に複数種類記憶しておき、連続予告演出の実行回数が決定された際に、複数種類の変化パターンの中から決定するようにすることができる。
(8) 実施例では、パチンコ機を構成する全ての装置を１つの制御装置によって制御するよう構成したが、機能の異なる装置を別々の制御装置によって制御する構成を採用し得る。また、パチンコ機の全体を制御するメイン制御手段と、該メイン制御手段からの制御信号に基づいて各制御対象を制御するサブ制御手段とを設け、該サブ制御手段が発光制御装置や図柄表示装置を制御する構成を採用し得る。すなわち、メイン制御手段に各種検出センサを接続して、該メイン制御手段に当り判定手段としての機能を備えさせると共に、サブ制御手段を発光制御装置や図柄表示装置に接続して、メイン制御手段からの制御信号に基づいて予告演出を実行させることを決定する予告演出実行決定手段および予告演出で発光させる透明パネルを決定するパネル決定手段としての機能をサブ制御手段に備えさせることができる。
(9) 実施例では、遊技者に有利な有利状態として大当り遊技を挙げたが、これに限られるものではなく、通常の遊技状態での大当り確率より大当り確率が高くなる確変状態を有利状態としてもよい。
(10) 遊技機としては、パチンコ機に限られるものではなく、アレンジボール機やパチンコ球を用いたスロットマシン等、その他各種の遊技機であってもよい。なお、スロットマシンに実施例の発光演出装置を採用した場合は、遊技を開始させるスタートレバーのＯＮ検出が遊技開始条件の成立となる。
【００８７】
遊技機に関しては、実施例から以下の技術的思想を把握することができる。
〔付記１〕
請求項１記載の構成を含む遊技機に関し、
前記透明パネル(55,56,64,65)の外周端面を囲繞する囲繞壁部(56b)が設けられると共に、該囲繞壁部(56b)における透明パネル(55,56,64,65)の外周端面との対向面に光反射面が形成されたことを要旨とする。
この構成では、光反射面が形成された囲繞壁部で透明パネルの外周端面を囲繞することで、外周端面から導入された光による透明パネルの発光強度を向上させることができる。
【００８８】
〔付記２〕
付記１記載の構成を含む遊技機に関し、
前記囲繞壁部(56b)に形成された開口部(56c)を介して前記透明パネル(55,64)の外周端面の一部が露出するよう形成され、当該透明パネル(55,64)の外周端面から内部に導入された光を、開口部(56c)を介して囲繞壁部(56b)の外側に照射し得るよう構成されたことを要旨とする。
この構成では、透明パネルの外周端面から内部に導入された光を、囲繞壁部の開口部を介して外部に照射して、別の発光対象物に光を照射することができ、発光による演出効果を向上することができる。
【００８９】
〔付記３〕
付記２記載の構成を含む遊技機に関し、
前記囲繞壁部(56b)の開口部(56c)に対向する位置に光透過性の球転動部(38a)が設けられ、
前記透明パネル(55,64)の外周端面から内部に導入されて前記囲繞壁部(56b)の開口部(56c)を介して外側に照射された光により前記球転動部(38a)が照明されるよう構成されたことを要旨とする。
この構成では、透明パネルの外周端面から内部に導入された光により球転動部を照明することができる。すなわち、透明パネルの発光による発光演出と、球転動部の発光による発光演出とを同時に実現することができる。
【００９０】
〔付記４〕
付記２記載の構成を含む遊技機に関し、
前記透明パネル(55,64)の外周端面に沿って複数の発光体(54)が配置されて、当該複数の発光体(54)が外周端面から透明パネル(55,64)の内部に導入され、
前記透明パネル(55,64)の外周端面に向けて光を照射する前記複数の発光体(54)の一部の光軸方向に前記囲繞壁部(56b)の開口部(56c)が位置すると共に、当該複数の発光体(54)の一部の光軸方向に前記光反射面が位置するよう構成されたことを要旨とする。
この構成では、透明パネルの外周端面に向けて光を照射する複数の発光体の一部の光軸方向に囲繞壁部の開口部を位置させることで、当該開口部から外側に漏れる光による光を照射することができ、発光による演出効果を向上することができる。
【００９１】
〔付記５〕
請求項４記載の構成を含む遊技機に関し、
前記遮光部材(45)には、前記光透過部材(57)の外周輪郭に沿って延在する外周壁部(45a)に開口部(45b)が形成されて、前記照明室(47)が遮光部材(45)の外側に連通するよう構成され、前記別の発光体(48a)の光を、開口部(45b)を介して遮光部材(45)の外側に照射し得るよう構成されたことを要旨とする。
この構成では、遮光部材の照明室に導入された光を遮光部材の開口部を介して外部に照射して、別の発光対象物に光を照射することができ、発光による演出効果を向上することができる。
【００９２】
〔付記６〕
付記５記載の構成を含む遊技機に関し、
前記遮光部材(45)の開口部(45b)に対向する位置に光透過性の球転動部(49a)が設けられ、
前記遮光部材(45)の開口部(45b)を介して外側に照射された前記別の発光体(48a)の光により前記球転動部(49a)が照明されるよう構成されたことを要旨とする。
この構成では、遮光部材の照明室に導入された光により球転動部を照明することができる。すなわち、光透過部材の意匠を発光表示する発光演出と、球転動部の発光による発光演出とを同時に実現することができる。
【符号の説明】
【００９３】
２０ 制御装置(発光制御手段)
２６ 第１始動入賞装置(発光演出装置)
４５ 遮光部材
４６ 遮光壁
４７ 照明室
４８ａ 第１ＬＥＤ(別の発光体)
５４ 第３ＬＥＤ(発光体)
５５ 第１透明パネル(透明パネル）
５７ 光透過部材
５７ａ 意匠
５９ 第４ＬＥＤ(発光体)
６０ 第２透明パネル(透明パネル）
６１ 第２積層体(積層体)
６４ 第１透明パネル(透明パネル）
６５ 第２透明パネル(透明パネル）
Ｄ２ 第２図柄(図柄)
Ｄ３ 第３図柄(図柄)
【図１】
2015029734.tif 000003
【図２】
2015029734.tif 000004
【図３】
2015029734.tif 000005
【図４】
2015029734.tif 000006
【図５】
2015029734.tif 000007
【図６】
2015029734.tif 000008
【図７】
2015029734.tif 000009
【図８】
2015029734.tif 000010
【図９】
2015029734.tif 000011